(57)【要約】【課題】挙式、披露宴その他に要する諸費用の削減と打ち合わせ等に要する時間の浪費をなくし、挙式予定のカップル又は単身者が予定している金額で、希望する雰囲気と内容の挙式、披露宴、二次会等について一括したプランの提供。【課題を解決するための手段】ホームページＨを開設し、そのホームページＨ上で、挙式と挙式に伴う披露宴、二次会の演出、運営、費用の算出その他を一括して立案、掲示を行う事業体Ｇと、事業体の業務遂行に協力し、提携する、国内外の各地域における提携業者と、端末又は携帯電話で前記事業体のホームページにアクセス可能な挙式予定のカップル又は単身者である顧客により構成される。【選択図】  図１
2004178527.tif 000002
【特許請求の範囲】
【請求項１】
通信回線を介してアクセス可能なホームページを開設し、そのホームページ上で、挙式と挙式に伴う披露宴、二次会の演出、運営、費用の算出その他を一括して立案、掲示を行いかつ、新居の選定、購入及び挙式後の生活設計についてのシミュレーション等をも併せて行う事業体と、
前記事業体の業務遂行に協力し、提携する、国内外の各地域における挙式場、各種レストラン、旅行社、美容室、ホテル、花屋、衣装店、写真店、ギフトショップ、芸能プロダクション、司会者、落語家、漫才師等、不動産関連企業、店舗及び個人からなる各種業務の提携業者と、
自己が管理し、通信機能を有する端末装置又は携帯電話で前記事業体のホームページにアクセス可能な挙式予定のカップル又は単身者である顧客と、
により構成されることを特徴とする、ブライダルパッケージシステム。
【請求項２】
前記事業体は、業務遂行に協力する国内外の各地域の各種業務の提携業者の場所、業務内容、処理能力等の記憶手段、蓄積手段、検索手段、入出力手段及び顧客との通信手段、表示手段を具備したコンピュータを管理、操作することを特徴とする、請求項１記載のブライダルパッケージシステム。
【請求項３】
前記事業体が開設したホームページ上のトップページにおいては、主に、ブライダルパッケージシステムの概要説明を、文字及び動画像もしくは静止画像で行うと共に、ブライダルパッケージシステムを利用した１又は複数カップルの感想メッセージを、文字及び動画像もしくは静止画像で紹介しかつ、内容の詳細を閲覧希望する顧客のために、複数のクリック欄を設けたことを特徴とする、請求項１ないし請求項２記載のブライダルパッケージシステム。
【請求項４】
前記事業体が開設したホームページ上の結婚式プロデュースにおいては、１〜複数の挙式プランを掲示し、主に、挙式に関する具体的要項である挙式費用、その内訳として、招待人数、場所、形式、売りポイント、オプション、引き出物等の紹介と、顧客が希望する諸条件を設定して検索するプランを掲示しかつ、次ページ以降に掲示された内容の詳細を閲覧希望する顧客のために、複数のクリック欄を設けたことを特徴とする、請求項１ないし請求項３記載のブライダルパッケージシステム。
【請求項５】
前記事業体が開設したホームページ上の二次会プロデュースにおいては、１〜複数の二次会プランを掲示し、主に、二次会に関する具体的要項である二次会の費用、その内訳として、招待人数、場所、形式、売りポイント、オプション、引き出物等の紹介と、顧客が希望する諸条件を設定して検索するプランを掲示しかつ、次ページ以降に掲示された内容の詳細を閲覧希望する顧客のために、複数のクリック欄を設けたことを特徴とする、請求項１ないし請求項４記載のブライダルパッケージシステム。
【請求項６】
前記事業体が開設したホームページ上の結婚式＋二次会プロデュースにおいては、主に、結婚式プラン及び二次会プランについて、顧客に画面上で１〜複数のプランの中から選択させ、選択した結婚式プラン＋二次会プランの総費用を表示することを特徴とする、請求項１ないし請求項５記載のブライダルパッケージシステム。
【請求項７】
前記事業体が開設したホームページ上のオリジナルプランにおいては、主に、顧客が希望する諸条件の入力画面で、挙式日時、ポイント、挙式場所、形式、予算、招待人数、料理、オプション等を入力することを特徴とする、請求項１ないし請求項６記載のブライダルパッケージシステム。
【請求項８】
前記事業体が開設したホームページ上の人生設計シミュレーションにおいては、主に、挙式後の顧客の人生設計をシミュレートするための基本項目入力画面とし、その内容は、家族構成、金融資産、不動産、生命保険、ローン、現在の収入／支出等であることを特徴とする、請求項１ないし請求項７記載のブライダルパッケージシステム。
【請求項９】
前記通信回線がインターネット回線であり、請求項１ないし請求項８のいずれかに記載のブライダルパッケージシステム。
【発明の詳細な説明】
【０００１】
【発明の属する技術分野】本発明は、結婚式に伴う披露宴、二次会等について、挙式予定者又は単身者に式場、場所、内容、費用その他について一括したプランを立案、掲示するブライダルパッケージシステムに関する。
【０００２】
【従来の技術】２００２年９月の某結婚情報誌によれば、我国において２００１年４月〜２００２年３月までに挙式した全国の４３５０組のカップルを対象とした調査アンケートによれば、結婚式費用は、長期的経済不況が続く今日でさえ、約５１８万円に及んでいる。この高額な挙式費用が結婚年齢高齢化の一要因ともなっている。
【０００３】
従来、挙式を希望するカップル又は単身者が、式場、費用算出、披露宴会場等についての情報収集と挙式までの準備と方法についてはいろいろあるが、一般的には、結婚式場又は式場付きのホテル等を訪ね、資料を貰い、担当者の説明を受けた後、カップル又は両親を交えて比較検討している。
【０００４】
その次に、テレビ、ラジオ等の宣伝広告を視聴し、条件等に合致するものがあれば、パンフレット等の資料を請求してその情報を入手しその詳細を検討している。
【０００５】
情報収集と挙式までの準備についての第三の方法は、結婚情報誌によるもので、掲載記事から式場等のサービス内容や費用などを比較検討し、いくつかの式場から資料を請求してその情報を入手し検討するものである。
【０００６】
第四の方法は、デパートや駅ターミナルなどに設置されているブライダルコーナー等の式場案内所を訪ね、係員から式場等の資料提供と情報を入手し検討するものである。
【０００７】
【発明が解決しようとする課題】しかし、上記の情報収集の方法には以下の問題点がある。例えば、第一の方法によれば、当初の予算額を大巾に超過することが多い。それは特に挙式、披露宴等に付帯するブーケ料、お色直しの衣装代、写真代、参列親族の着付け料等が重なり予想外の金額となる。
【０００８】
第二の方法によれば、テレビコマーシャル、ラジオコマーシャルは、公告代理店を介し莫大な製作費がかけられて作成されるものなので、その製作費は、結果的には挙式カップルから回収することになり、高額な挙式費用となる。
【０００９】
第三の方法によれば、容易かつ安価に情報収集が可能であるが、情報量が膨大であるために、その選択と整理が困難で、情報誌の発刊が月刊又は季刊となっているので、情報の新鮮さに欠けている。
【００１０】
第四の方法によれば、挙式希望のカップル等は、式場案内所の営業時間内に訪ねなければならない時間的かつ地理的制限を受ける。
【００１１】
本発明は、上記の式場、費用算出、披露宴会場等についての情報収集と挙式までの準備についての問題点を解決し、高額となっている、従来の挙式、披露宴その他に要する諸費用の削減と打ち合わせ等に要する時間の浪費をなくし、挙式予定のカップル又は単身者が予定している金額で、希望する雰囲気と内容の挙式、披露宴、二次会等について一括したプランを提供することを目的としている。
【００１２】
【課題を解決するための手段】
請求項１は、通信回線を介してアクセス可能なホームページを開設し、そのホームページ上で、挙式と挙式に伴う披露宴、二次会の演出、運営、費用の算出その他を一括して立案、掲示を行いかつ、新居の選定、購入及び挙式後の生活設計にっいてのシミュレーション等をも併せて行う事業体と、前記事業体の業務遂行に協力し、提携する、国内外の各地域における挙式場、各種レストラン、旅行社、美容室、ホテル、花屋、衣装店、写真店、ギフトショップ、芸能プロダクション、司会者、落語家、漫才師等、不動産関連企業、店舗及び個人からなる各種業務の提携業者と、自己が管理し、通信機能を有する端末装置又は携帯電話で前記事業体のホームページにアクセス可能な挙式予定のカップル又は単身者である顧客と、により構成されることを特徴としている。
【００１３】
請求項２は、請求項１記載のブライダルパッケージシステムにおいて、前記事業体は、業務遂行に協力する国内外の各地域の各種業務の提携業者の場所、業務内容、処理能力等の記憶手段、蓄積手段、検索手段、入出力手段及び顧客との通信手段、表示手段を具備したコンピュータを管理、操作することを特徴とする。
【００１４】
請求項３は、請求項１ないし請求項２記載のブライダルパッケージシステムにおいて、前記事業体が開設したホームページ上のトップページにおいては、主に、ブライダルパッケージシステムの概要説明を、文字及び動画像もしくは静止画像で行うと共に、ブライダルパッケージシステムを利用した１又は複数カップルの感想メッセージを、文字及び動画像もしくは静止画像で紹介しかつ、内容の詳細を閲覧希望する顧客のために、複数のクリック欄を設けたことを特徴とする。
【００１５】
請求項４は、請求項１ないし請求項３記載のブライダルパッケージシステムにおいて、前記事業体が開設したホームページ上の結婚式プロデュースにおいては、１〜複数の挙式プランを掲示し、主に、挙式に関する具体的要項である挙式費用、その内訳として、招待人数、場所、形式、売りポイント、オプション、引き出物等の紹介と、顧客が希望する諸条件を設定して検索するプランを掲示しかつ、次ページ以降に掲示された内容の詳細を閲覧希望する顧客のために、複数のクリック欄を設けたことを特徴とする。
【００１６】
請求項５は、請求項１ないし請求項４記載のブライダルパッケージシステムにおいて、前記事業体が開設したホームページ上の二次会プロデュースにおいては、１〜複数の二次会プランを掲示し、主に、二次会に関する具体的要項である二次会の費用、その内訳として、招待人数、場所、形式、売りポイント、オプション、引き出物等の紹介と、顧客が希望する諸条件を設定して検索するプランを掲示しかつ、次ページ以降に掲示された内容の詳細を閲覧希望する顧客のために、複数のクリック欄を設けたことを特徴とする。
【００１７】
請求項６は、請求項１ないし請求項５記載のブライダルパッケージシステムにおいて、前記事業体が開設したホームページ上の結婚式＋二次会プロデュースにおいては、主に、結婚式プラン及び二次会プランについて、顧客に画面上で１〜複数のプランの中から選択させ、選択した結婚式プラン＋二次会プランの総費用を表示することを特徴とする。
【００１８】
請求項７は、請求項１ないし請求項６記載のブライダルパッケージシステムにおいて、前記事業体が開設したホームページ上のオリジナルプランにおいては、主に、顧客が希望する諸条件の入力画面で、挙式日時、ポイント、挙式場所、形式、予算、招待人数、料理、オプション等を入力することを特徴とする。
【００１９】
請求項８は、請求項１ないし請求項７記載のブライダルパッケージシステムにおいて、前記事業体が開設したホームページ上の人生設計シミュレーションにおいては、主に、挙式後の顧客の人生設計をシミュレートするための基本項目入力画面とし、その内容は、家族構成、金融資産、不動産、生命保険、ローン、現在の収入／支出等であることを特徴とする。
【００２０】
請求項９は、請求項１ないし請求項８記載のブライダルパッケージシステムにおいて、前記通信回線がインターネット回線であることを特徴とする。
【００２１】
【発明の実施の形態】以下、本発明に係る、ブライダルパッケージシステムの好適な実施形態について図面を参照しながら説明する。図１は、本発明に係る、ブライダルパッケージシステム（以下、システムという）の概要説明図で、Ｇは事業体、Ｔは事業体の業務遂行に協力する国内外の各地域の各種業務の提携業者で、Ｔ１は、例えば披露宴、二次会等の会場となるレストラン、Ｔ２は旅行社、Ｔ３は、遠方から結婚式に参列する恩師、親族等が宿泊するホテル、Ｔ４は、新婦や親族のヘアースタイル、着付けを行う美容室、Ｔ５は花屋等々であり、Ｋは顧客で、事業体Ｇは、インターネットＮを介してアクセス可能なホームページＨを開設し、その事業内容を掲示、紹介すると共に、システムを機能させるためにコンピュータＣと周辺機器を備え、プログラムを実行するＣＰＵ（中央演算装置）１、通信処理プログラムを記憶するＲＯＭ２、提携業者Ｔ及び顧客Ｋとの通信内容を記憶するＲＡＭ３及び入出力部４を有し、それらはシステムバス５に接続されて互いに有機的に結合している。
【００２２】
入出力部４には提携業者Ｔごとの場所、業務内容、処理能力等を記憶した蓄積手段６、検索手段７及び提携業者Ｔと顧客Ｋ又はＫ’との通信手段８、表示手段９、インターネットＮに接続するためのモデム１０等が接続されている。
【００２３】
提携業者Ｔの端末装置は、少なくとも事業体Ｇとの送受信機能及び表示機能を有し、モデム１１を介して接続され、事業体Ｇからの会場、商品等の予約申し込み、その他連絡事項、問い合わせ事項等について操作し処理する。
【００２４】
顧客Ｋの端末装置は、少なくとも送受信機能、検索機能及び表示機能を有し、モデム１２を介して接続され、インターネットＮを介して事業体Ｇが開設したホームページＨを閲覧し、その掲載内容について問い合わせ、オプション、検索、表示及び契約の申込み等を行う。また顧客Ｋ’が有する事業体ＧのホームページＨを閲覧可能な携帯電話によってもその掲載内容について問い合わせ、オプション、検索、表示及び契約の申込み等を行う。
【００２５】
図２は、顧客Ｋ又はＫ’による、本発明に係る、システム利用状況の主な流れを示すフローチャートで、顧客Ｋ、Ｋ’の端末装置又は携帯電話の起動でスタートし、事業体Ｇが開設したホームページＨのトップページ（図３）を開く（Ｓ１）。ここには図３に示すように、「結婚式プロデュース」、「二次会プロデュース」、「結婚式＋二次会プロデュース」、「あなただけのオリジナル結婚式」、「人生設計（ファイナンシャルプラン）シミュレーション」の５項目と、「結婚式プロデュース」、及び「二次会プロデュース」は、動画像もしくは静止画像が表示されている。
【００２６】
次に、顧客Ｋ、Ｋ’は、上記の５項目中から閲覧を希望する項目をクリック（Ｓ２）し、その項目に掲載された内容を閲覧（Ｓ３）し、プロデュースごとのプランを閲覧し、さらにその詳細を閲覧希望するときは、指示する番号をクリック（Ｓ４）するか又は、希望条件、オプション等を入力して検索する（Ｓ５）。
さらに、選択したプランの内容を閲覧し、検討し（Ｓ６）、プランが確定したらその画面を事業体Ｇに送信する（Ｓ７）。このとき顧客Ｋ又はＫ’は、事業体Ｇが要望する住所、氏名、電話番号等も入力して送信する。これを事業体Ｇは、コンピュータＣの通信手段８で受信し、これを蓄積手段６で格納し（Ｓ８）、顧客Ｋ又はＫ’は、確定した合計金額を所定の金融機関に振り込んで決済が終了する。
【００２７】
図４は、結婚式プロデュースの画面であり、図中に示すように、この画面の使用、入力方法の他、プラン１〜プラン４を掲示し各プランごと招待人数、挙式の形式、引き出物等具体的な内容と合計金額を示すと共に、顧客Ｋ又はＫ’からの希望挙式日、形式、場所等の条件及びオプション等を入力して検索するものである。
【００２８】
図５は、結婚式プロデュースの画面で選択したプラン名例えば、ダイヤモンドプラン、サファイヤプラン、オパールプラン等の誕生石の名前を付けたりするものであり、図中に示すように挙式形式、会場、披露宴及び新婚旅行及びオプション等についての詳細な内容を動画像もしくは静止画像で紹介し、その合計金額を示すものである。
【００２９】
図６は、挙式、披露宴後の二次会プロデュースの画面であり、図中に示すように、この画面の使用、入力方法の他、プラン１〜プラン４を掲示し各プランごと招待人数、挙式の形式、引き出物等具体的な内容と合計金額を示すと共に、顧客Ｋ又はＫ’が希望する、二次会の開催日時、形式、場所等の条件及びオプション等を入力して検索するものである。
【００３０】
図７は、二次会プロデュースの画面で選択したプラン名例えば、ローズプラン、マーガレットプラン、ライラックプラン等の花の名前を付けたりするものであり、図中に示すように二次会の形式、会場、料理、引き出物及びオプション等についての詳細な内容を動画像もしくは静止画像で紹介し、その合計金額を示すものである。
【００３１】
図８は、結婚式＋二次会プロデュースの画面であり、図中に示すように、この画面の使用、入力方法の他、選択した結婚式プラン名と選択した二次会プラン名を掲示し各プランごと招待人数、挙式及び二次会の形式、オプション、引き出物等具体的な内容と合計金額を示すものである。
【００３２】
図９は、オリジナルプランの画面であり、図中に示すように、この画面の使用、入力方法の説明の他、顧客Ｋ又はＫ’が希望する独自の挙式形式、披露宴、オプション及び予算額等の条件を入力するものである。
【００３３】
図１０は、図９のオリジナルプランの画面で入力した希望条件、オプション及び予算額等の確認画面である。
【００３４】
図１１は、人生設計シミュレーションに関する画面で、挙式後の新生活をスタートする顧客Ｋ又はＫ’はもちろん、既婚者や単身者が将来的な家族構成、金融資産、生命保険、不動産等についての生活設計をシミュレートするためのもので、図１２は、車購入、マンション又は一戸建住宅の購入等主なイベントを入力するためのライフイベント表である。
【００３５】
図１３は、図３〜図８、図１０及び図１２中に表示されたクリック＊Ａ〜＊Ｋについての説明画面である。
【００３６】
次に、本発明に係るシステムの動作について説明する。挙式予定カップルの顧客Ｋが、自己の保有する端末でモデム１２を介し、事業体Ｇが開設したホームページＨにアクセスすれば、図３のトップページが表示され、結婚式プロデュースを閲覧希望するときは、クリック（＊１）を押せば図４の結婚式プロデュースが表示されるので、例えば結婚式、披露宴及び新婚旅行の総費用が、顧客Ｋの予算額４００万円に近いプラン１のダイヤモンドプランとすればこれを選択しクリック（＊２）すると、図５の画面が表示され、顧客Ｋは招待人数、場所、挙式形式、会場、披露宴の料理内容等を動画像もしくは静止画像を見ながら希望するもののなかから指定することができかつ、遠方から出席する親族、恩師等の招待客用宿泊先の指定や司会者の指名等のオプションも可能としている。また、顧客Ｋ’の総予算額が、３５０万円位とすれば、プラン２のサファイヤプランを選択しクリックすれば、その詳細が閲覧でき、プラン３、プラン４も同様に閲覧し、適宜その内容の詳細が閲覧でき、オプションも可能であり、さらに顧客Ｋ又はＫ’は、各種条件即ち、日時、ポイント、挙式形式、招待人数、場所、料理等その内容と予算額を入力しての検索も可能で、納得するプランが選択又は作成できた場合、プラン確定をクリック（＊Ｈ）すれば、そのプランが事業体Ｇに転送される。
【００３７】
二次会のプロデュースを希望する顧客Ｋは、図３のクリック（＊３）を押せば、図６の二次会プロデュースが表示され、二次会についての総費用が、顧客Ｋの予算額に近いプラン１のローズプランであれば、これを選択しクリック（＊４）すると、図７の画面が表示され、顧客Ｋは招待人数、場所、会場、料理内容等を動画像もしくは静止画像を見ながら希望するもののなかから指定することができ、納得するプランが作成できたらプラン確定をクリック（＊Ｈ）すれば、そのプランが事業体Ｇに転送される。
【００３８】
図３のクリック（＊５）を押せば、図８の結婚式＋二次会プロデュースが表示され、図４の結婚式プロデュースのプラン１〜プラン４の中からまた、図６の二次会プロデュースのプラン１〜プラン４の中からそれぞれ希望するプランを選択し、納得するプランが作成できたらプラン確定をクリック（＊Ｈ）すれば、そのプランが事業体Ｇに転送される。
【００３９】
図３のクリック（＊６）を押せば、図９のオリジナルプランが表示されるので、顧客Ｋは、挙式日時、ポイント、挙式場所、挙式形式、招待人数、料理等その内容と予算額及びオプションを入力してプラン作成し、クリック（＊７）を押せば、図１０のオリジナルプラン確認画面が表示されるので、その各項目の内容を検討、確認し内容に変更する項目があれば、図９のオリジナルプランに戻り、その項目の内容を変更し、再度クリック（＊７）を押せば、図１０のオリジナルプラン確認画面が表示され、納得するプランが作成できたらプラン確定をクリック（＊Ｋ）すれば、二次会についての質問、相談、問い合わせを入力する画面（図示せず）に移動し、そこで、二次会の場所、内容と予算等について事業体Ｇと交渉し、合意すれば、図７の画面でクリック（＊Ｈ）すれば、そのプランが事業体Ｇに転送される。
【００４０】
挙式予定のカップル、既婚者又は単身者である顧客Ｋ又はＫ’が、クリック（＊８）を押せば、図１１の人生設計シミュレーションが表示され、挙式後の新生活又は既に家庭生活を営んでいる既婚者や単身者の将来的な家族構成、金融資産、生命保険、不動産等についての生活設計がシミュレートされるもので、必要事項を入力し、クリック（＊９）すれば、次ページ図１２のライフイベント（予定）表が表示され、人生における各種の具体的なイベントである例えば、車、マンション購入、ローンの組み込みと完済等の予定項目を表中の年度に入力し、これをクリック（＊Ｈ）してそのデータを事業体Ｇに転送する。事業体Ｇのファイナンシャルプランナー等がこれを分析、検討し、適宜アドバイス等を送信すると共にこれをコンピュータＣの蓄積手段６に格納する。
【００４１】
顧客Ｋ又はＫ’は、上記のプラン確定送信後、確定した金額を事業体Ｇの所定の口座に送金し、本発明に係るシステムの動作は終了する。なお、図４におけるクリック（＊Ｅ）〜クリック（＊Ｇ）は、結婚式についての基礎知識等についてまた、図６におけるクリック（＊Ｉ）〜クリック（＊Ｋ）は、二次会についての基礎知識等についての情報を提供するためのものである。
【００４２】
上記の実施形態における構成及びその動作は、その一例であって、本発明の趣旨を逸脱しない範囲内で適宜変更することができることはいうまでもない。
【００４３】
【発明の効果】
本発明に係るシステムは、上記の構成をもつてなるから以下の効果を奏する。即ち▲１▼従来の結婚式場等でのパターン、マンネリ化した挙式、披露宴等と異なり、顧客Ｋ又はＫ’は、当初の予算額内でかつ、イメージしていた内容の挙式、披露宴、二次会等を行うことができると共に挙式、披露宴、二次会等の費用が確定しているので、参列者は祝儀の金額を決めやすくまた、会費制にすることが容易である。▲２▼顧客Ｋ又はＫ’は、端末又は携帯電話等により、ホームページＨを介して挙式、披露宴等に関する各種情報が容易に取得できると共に、自由にその内容の変更、オプションの追加等が可能で、時間的ロスが大巾に削減できる。▲３▼挙式したカップルはもちろん、既婚者、単身者は、その後の生活についての人生設計シミュレーションが可能なので、長期展望にもとづく安定、着実な生活の見透しができる。▲４▼事業体Ｇは、国や都道府県の行政機関が運営する諸施設又は民営の店舗、企業等又は宗教法人とタイアップし、国内外の隠れた名所、旧跡等での挙式、披露宴等が行えるので、町おこし、村おこしの一助ともなり、社会的にも有意義である。
【００４４】
【図面の簡単な説明】
【図１】本発明に係る、ブライダルパッケージシステムの概要説明図である。
【図２】同システムの動作を示すフローチャートである。
【図３】事業体Ｇが開設したホームページＨにおける、トップページ画面である。
【図４】同結婚式プロデュース画面である。
【図５】同結婚式プロデュース画面で選択したプラン名画面である。
【図６】同二次会プロデュース画面である。
【図７】同二次会プロデュース画面で選択したプラン名画面である。
【図８】同結婚式＋二次会プロデュース画面である。
【図９】同オリジナルプラン画面である。
【図１０】同図９のオリジナルプラン画面で入力した希望条件、オプション及び予算額等の確認画面である。
【図１１】同人生設計シミュレーション画面である。
【図１２】同ライフイベント表画面である。
【図１３】同図３〜図８、図１０及び図１２中の表示クリック＊Ａ〜＊Ｋについての説明画面である。
【符号の説明】
Ｇ      事業体
Ｔ      提携業者
Ｋ、Ｋ’顧客
Ｎ      インターネット
Ｈ      ホームページ
Ｃ      コンピュータ
１      ＣＰＵ
【図１】
2004178527.tif 000003
【図２】
2004178527.tif 000004
【図３】
2004178527.tif 000005
【図４】
2004178527.tif 000006
【図５】
2004178527.tif 000007
【図６】
2004178527.tif 000008
【図７】
2004178527.tif 000009
【図８】
2004178527.tif 000010
【図９】
2004178527.tif 000011
【図１０】
2004178527.tif 000012
【図１１】
2004178527.tif 000013
【図１２】
2004178527.tif 000014
【図１３】
2004178527.tif 000015